(57)【要約】  カードを回収する際の、ＩＣ接点バネに起因するカードの傷の発生を抑制することが可能であっても、小型化することが可能なＩＣカードリーダを提供する。このＩＣカードリーダでは、ＩＣ接点ブロック１０は、カード２の外部接続端子とＩＣ接点バネ３とが接触する通信位置と、ストッパ２６に当接するとともにカード２から離れるカード排出位置１０Ｃとに姿勢を一定に保った状態で移動する。また、通信位置に移動したＩＣ接点ブロック１０の回動ストッパ１９に当接するカード２が奥側へ搬送されると、回動ストッパ１９がカード２に押されてＩＣ接点ブロック１０が奥側に向かって通信位置からカード排出位置１０Ｃに移動し、カード排出位置１０Ｃに移動したＩＣ接点ブロック１０の回動ストッパ１９に当接するカード２が奥側へ搬送されると、回動ストッパ１９が回動して、カード２が奥側に向かって回動ストッパ１９の下側を通過する。
2016158946.tif 000002
【特許請求の範囲】
【請求項１】
カードの表面に形成されるＩＣチップの外部接続端子に接触するＩＣ接点バネを有する接触式のＩＣカードリーダにおいて、
前記ＩＣカードリーダの、前記カードの挿入口が形成される側を手前側とし、その反対側を奥側とし、前記挿入口から挿入された前記カードの厚さ方向の一方側を第１方向側とし、その反対側を第２方向側とすると、
前記挿入口から挿入された前記カードが搬送されるカード搬送路と、前記カード搬送路で前記カードを搬送するカード搬送機構と、前記ＩＣ接点バネを有するＩＣ接点ブロックと、前記カード搬送路に対する前記ＩＣ接点ブロックの姿勢を一定に保った状態で前記ＩＣ接点ブロックが移動するように前記ＩＣ接点ブロックを案内するガイド機構と、手前側へ前記ＩＣ接点ブロックを付勢するブロック付勢部材と、前記ＩＣ接点ブロックの手前側への移動範囲を規制する第１ストッパと、前記ＩＣ接点ブロックの奥側への移動範囲を規制する第２ストッパとを備え、
前記ガイド機構は、前記ブロック付勢部材の付勢力によって前記ＩＣ接点ブロックが前記第１ストッパに当接するとともに前記カード搬送路に配置される前記カードから離れる待機位置と、前記カード搬送路に配置される前記カードの前記外部接続端子と前記ＩＣ接点バネとが接触する通信位置と、前記ＩＣ接点ブロックが前記第２ストッパに当接するとともに前記カード搬送路に配置される前記カードから離れるカード排出位置とに前記ＩＣ接点ブロックが移動するように前記ＩＣ接点ブロックを案内し、
前記待機位置にある前記ＩＣ接点ブロックおよび前記カード排出位置にある前記ＩＣ接点ブロックは、前記通信位置にある前記ＩＣ接点ブロックよりも前記第１方向側に配置され、
前記ＩＣ接点ブロックは、前記ＩＣ接点バネを保持するブロック状のバネホルダと、前記バネホルダの奥端側に取り付けられるとともに前記カードの搬送方向と前記カードの厚さ方向とに直交する前記カードの幅方向を回動の軸方向として回動可能な回動ストッパと、前記回動ストッパが前記バネホルダから前記第２方向側へ突出して前記カード搬送路を塞ぐ閉鎖位置に向かって前記回動ストッパを付勢するストッパ付勢部材とを備え、
前記カード搬送機構によって奥側へ搬送される前記カードの奥端が前記待機位置にある前記ＩＣ接点ブロックの前記回動ストッパに当接すると、前記回動ストッパが前記カードに押されて前記ＩＣ接点ブロックが奥側に向かって前記待機位置から前記通信位置に移動し、
前記通信位置に移動した前記ＩＣ接点ブロックの前記回動ストッパに当接する前記カードが前記カード搬送機構によってさらに奥側へ搬送されると、前記回動ストッパが前記カードに押されて前記ＩＣ接点ブロックが奥側に向かって前記通信位置から前記カード排出位置に移動し、
前記カード排出位置に移動した前記ＩＣ接点ブロックの前記回動ストッパに当接する前記カードが前記カード搬送機構によってさらに奥側へ搬送されると、前記回動ストッパが前記第１方向側かつ奥側へ回動して、前記カードが奥側に向かって前記回動ストッパの前記第２方向側を通過することを特徴とするＩＣカードリーダ。
【請求項２】
前記ガイド機構は、前記バネホルダの手前端側に回動可能に連結される第１アームと、前記バネホルダの奥端側に回動可能に連結される第２アームとを備える平行リンク機構であることを特徴とする請求項１記載のＩＣカードリーダ。
【請求項３】
前記バネホルダの奥端側には、前記第２方向側へ突出する固定ストッパが形成され、
前記固定ストッパの前記第２方向への突出量は、前記閉鎖位置にあるときの前記回動ストッパの前記第２方向への突出量よりも少なくなっており、
前記通信位置に前記ＩＣ接点ブロックがあるときには、前記固定ストッパは、前記カードの奥端が前記固定ストッパに当接可能な位置に配置され、
前記カード排出位置に前記ＩＣ接点ブロックがあるときには、前記固定ストッパは、前記カードよりも前記第１方向側に配置されていることを特徴とする請求項１または２記載のＩＣカードリーダ。
【請求項４】
前記固定ストッパは、前記カードの幅方向における前記回動ストッパの両側に形成されていることを特徴とする請求項３記載のＩＣカードリーダ。
【請求項５】
前記カード搬送路は前記第１方向側から前記第２方向側へ向かって突出するとともに搬送される前記カードを案内するガイド部を備え、
前記ガイド部は、前記ＩＣ接点ブロックが前記通信位置にあるときの前記固定ストッパと前記カードの搬送方向において重なる位置に配置され、
前記ガイド部の前記第２方向側の端部は、前記ＩＣ接点ブロックが前記カード排出位置にあるときの前記固定ストッパの前記第２方向側の端部よりも前記第２方向側に配置され、
前記ＩＣ接点ブロックが前記通信位置から前記カード排出位置に移動する間に、前記カードは前記ガイド部の前記第２方向側を通過することを特徴とする請求項３または４記載のＩＣカードリーダ。
【請求項６】
前記回動ストッパの先端側には、前記カードの幅方向を回転の軸方向として回転可能なローラが取り付けられていることを特徴とする請求項１から５のいずれかに記載のＩＣカードリーダ。
【請求項７】
前記ＩＣ接点ブロックよりも奥側に、かつ、前記カード搬送路よりも前記第２方向側に配置される前記カードの回収ボックスを備え、
前記回動ストッパは、奥側に向かって前記回動ストッパの前記第２方向側を通過する前記カードを前記ストッパ付勢部材の付勢力によって前記回収ボックスに向かって押すことを特徴とする請求項１から６のいずれかに記載のＩＣカードリーダ。
【発明の詳細な説明】
【技術分野】
【０００１】
本発明は、カードの表面に形成されるＩＣチップの外部接続端子に接触するＩＣ接点バネを備える接触式のＩＣカードリーダに関する。
【背景技術】
【０００２】
従来、カードリーダの内部にカードを回収するカードの回収機能を備える接触式のＩＣカードリーダが知られている（たとえば、特許文献１参照）。特許文献１に記載のＩＣカードリーダには、カード挿入口から挿入されたカードが搬送されるカード搬送路が形成されている。このＩＣカードリーダは、カード搬送路でカードを搬送するカードの搬送機構と、カードに形成されるＩＣ接点の外部接続端子に接触するＩＣ接点バネと、ＩＣ接点バネを保持する接点ホルダと、接点ホルダをカード挿入口側へ付勢する引張りコイルバネとを備えている。接点ホルダは、昇降フックと、昇降フックをカード搬送路に向かって付勢する圧縮コイルバネとを備えている。接点ホルダには、突起が形成されており、この突起は、カードリーダ本体に設けられたガイド溝に挿入されている。【０００３】
また、特許文献１に記載のカードリーダでは、カードリーダ本体に、圧縮コイルバネの付勢力に抗してカード搬送路から離れる方向へ昇降フックを移動させるフック押上部材が設けられている。このカードリーダでは、圧縮コイルバネに付勢された昇降フックは、カード搬送路で搬送されるカードが当接する位置に配置されており、昇降フックに当接したカードがカードリーダの奥側へ搬送されると、接点ホルダの突起およびガイド溝の作用で、接点ホルダがカードリーダの奥側へ移動しながらカード搬送路に近づく方向へ移動して、カードの外部接続端子にＩＣ接点バネが接触し、データの通信が行われる。【０００４】
また、特許文献１に記載のカードリーダでは、接点ホルダよりもカードリーダの奥側へカードが搬送されることで、カードの回収が行われる。カードの回収が行われるときには、カードの外部接続端子にＩＣ接点バネが接触している状態からさらにカードリーダの奥側へカードが搬送される。カードがカードリーダの奥側へさらに搬送されると、接点ホルダがカードリーダの奥側へ移動して、昇降フックがフック押上部材に接触する。昇降フックがフック押上部材に接触すると、昇降フックがカード搬送路から離れる方向へ移動して、接点ホルダよりもカードリーダの奥側へカードを搬送できる状態になる。この状態でさらにカードがカードリーダの奥側に搬送されて、カードが回収される。【０００５】
また、従来、ＩＣカードの処理装置が知られている（たとえば、特許文献２参照）。特許文献２に記載の処理装置は、カードが積層されて収容されるスタッカと、スタッカから送り出されたカードが搬送されるカード搬送路と、カード搬送路でカードを搬送するカードの搬送機構と、カードの外部接続端子に接触するＩＣ接点バネと、ＩＣ接点バネを保持する接点ホルダとを備えている。接点ホルダは、２本のアームを有する平行リンク機構に連結されている。２本のアームのうちの一方のアームには、接点ホルダをスタッカ側へ付勢する引張りコイルバネが取り付けられている。また、接点ホルダには、スタッカから送り出されるカードの端部が当接する当接部が形成されている。【０００６】
特許文献２に記載の処理装置では、スタッカからカードが送り出されるときには、接点ホルダの当接部は、カード搬送路で搬送されるカードが当接する位置に配置されている。
スタッカから送り出されたカードが当接部に当接し、その後、スタッカから遠ざかる方向へさらに搬送されると、平行リンク機構の作用で、接点ホルダがカードの搬送方向に移動しながらカード搬送路に近づく方向へ移動して、カードの外部接続端子にＩＣ接点バネが接触し、データの通信が行われる。また、この処理装置では、カードがさらにスタッカから遠ざかる方向へ搬送されると、接点ホルダがカードの搬送方向へ移動しながらカード搬送路から離れる方向へ移動する。接点ホルダがカード搬送路から離れる方向へ移動すると、接点ホルダの当接部もカード搬送路から離れる方向へ移動するため、カードは、接点ホルダが配置された箇所を通過してさらにスタッカから遠ざかる方向へ搬送される。
【先行技術文献】
【特許文献】
【０００７】
【特許文献１】特開平１０−２７２２０号公報
【特許文献２】特開平９−１４７０６４号公報
【発明の概要】
【発明が解決しようとする課題】
【０００８】
特許文献１に記載のＩＣカードリーダでは、カードの回収を行うときに、カードの表面にＩＣ接点バネが接触したままの状態で、カードリーダの奥側へさらにカードが搬送されるため、ＩＣ接点バネによってカードが傷つけられる。ここで、特許文献２に記載の接点ホルダおよび平行リンク機構を特許文献１に記載のＩＣカードリーダに採用すれば、カードの回収を行うときに、カードの移動に伴ってＩＣ接点バネがカードから離れていくため、カードの回収を行うときのカードの傷の発生を抑制することが可能になる。【０００９】
しかしながら、特許文献２の接点ホルダおよび平行リンク機構を特許文献１に記載のＩＣカードリーダに採用した場合、カードの回収を行うときには、接点ホルダが配置された箇所をカードが通過できるように、カード搬送路から離れる方向へ平行リンク機構によって接点ホルダの全体を大きく移動させる必要がある。そのため、このＩＣカードリーダでは、接点ホルダの全体を大きく移動させるための大きなスペースが必要になり、その結果、ＩＣカードリーダが大型化する。【００１０】
そこで、本発明の課題は、カードの回収機能を有する接触式のＩＣカードリーダにおいて、カードを回収する際の、ＩＣ接点バネに起因するカードの傷の発生を抑制することが可能であっても、小型化することが可能なＩＣカードリーダを提供することにある。
【課題を解決するための手段】
【００１１】
上記の課題を解決するため、本発明のカードリーダは、カードの表面に形成されるＩＣチップの外部接続端子に接触するＩＣ接点バネを有する接触式のＩＣカードリーダにおいて、ＩＣカードリーダの、カードの挿入口が形成される側を手前側とし、その反対側を奥側とし、挿入口から挿入されたカードの厚さ方向の一方側を第１方向側とし、その反対側を第２方向側とすると、挿入口から挿入されたカードが搬送されるカード搬送路と、カード搬送路でカードを搬送するカード搬送機構と、ＩＣ接点バネを有するＩＣ接点ブロックと、カード搬送路に対するＩＣ接点ブロックの姿勢を一定に保った状態でＩＣ接点ブロックが移動するようにＩＣ接点ブロックを案内するガイド機構と、手前側へＩＣ接点ブロックを付勢するブロック付勢部材と、ＩＣ接点ブロックの手前側への移動範囲を規制する第１ストッパと、ＩＣ接点ブロックの奥側への移動範囲を規制する第２ストッパとを備え、ガイド機構は、ブロック付勢部材の付勢力によってＩＣ接点ブロックが第１ストッパに当接するとともにカード搬送路に配置されるカードから離れる待機位置と、カード搬送路に配置されるカードの外部接続端子とＩＣ接点バネとが接触する通信位置と、ＩＣ接点ブロックが第２ストッパに当接するとともにカード搬送路に配置されるカードから離れるカード排出位置とにＩＣ接点ブロックが移動するようにＩＣ接点ブロックを案内し、待機位置にあるＩＣ接点ブロックおよびカード排出位置にあるＩＣ接点ブロックは、通信位置にあるＩＣ接点ブロックよりも第１方向側に配置され、ＩＣ接点ブロックは、ＩＣ接点バネを保持するブロック状のバネホルダと、バネホルダの奥端側に取り付けられるとともにカードの搬送方向とカードの厚さ方向とに直交するカードの幅方向を回動の軸方向として回動可能な回動ストッパと、回動ストッパがバネホルダから第２方向側へ突出してカード搬送路を塞ぐ閉鎖位置に向かって回動ストッパを付勢するストッパ付勢部材とを備え、カード搬送機構によって奥側へ搬送されるカードの奥端が待機位置にあるＩＣ接点ブロックの回動ストッパに当接すると、回動ストッパがカードに押されてＩＣ接点ブロックが奥側に向かって待機位置から通信位置に移動し、通信位置に移動したＩＣ接点ブロックの回動ストッパに当接するカードがカード搬送機構によってさらに奥側へ搬送されると、回動ストッパがカードに押されてＩＣ接点ブロックが奥側に向かって通信位置からカード排出位置に移動し、カード排出位置に移動したＩＣ接点ブロックの回動ストッパに当接するカードがカード搬送機構によってさらに奥側へ搬送されると、回動ストッパが第１方向側かつ奥側へ回動して、カードが奥側に向かって回動ストッパの第２方向側を通過することを特徴とする。【００１２】
本発明のカードリーダでは、ＩＣ接点ブロックは、第１ストッパに当接するとともにカード搬送路に配置されるカードから離れる待機位置と、カード搬送路に配置されるカードの外部接続端子とＩＣ接点バネとが接触する通信位置と、第２ストッパに当接するとともにカード搬送路に配置されるカードから離れるカード排出位置とに、カード搬送路に対するＩＣ接点ブロックの姿勢を一定に保った状態で移動する。また、本発明では、通信位置に移動したＩＣ接点ブロックの回動ストッパに当接するカードがカード搬送機構によってさらに奥側へ搬送されると、回動ストッパがカードに押されてＩＣ接点ブロックが奥側に向かって通信位置からカード排出位置に移動する。そのため、本発明では、カードを奥側に搬送してカードを回収する際に、カードの移動に伴ってＩＣ接点バネがカードから離れていく。したがって、本発明では、カードを回収する際の、ＩＣ接点バネに起因するカードの傷の発生を抑制することが可能になる。【００１３】
また、本発明では、ＩＣ接点ブロックは、バネホルダの奥端側に取り付けられるとともにカードの幅方向を回動の軸方向として回動可能な回動ストッパと、回動ストッパがバネホルダから第２方向側へ突出してカード搬送路を塞ぐ閉鎖位置に向かって回動ストッパを付勢するストッパ付勢部材とを備えており、カード排出位置に移動したＩＣ接点ブロックの回動ストッパに当接するカードがカード搬送機構によってさらに奥側へ搬送されると、回動ストッパが第１方向側かつ奥側へ回動して、カードが奥側に向かって回動ストッパの第２方向側を通過する。そのため、本発明では、特許文献２に記載の処理装置のようにＩＣ接点ブロックに固定されているストッパの第２方向側をカードが通過できるまでＩＣ接点ブロックの全体を移動させる場合と比較して、ＩＣ接点ブロックの全体の移動量を小さくしてもＩＣ接点ブロックの奥側へカードを通過させることが可能になる。すなわち、本発明では、カードを回収するためにＩＣ接点ブロックの奥側へカードを通過させることが可能であっても、ＩＣ接点ブロックの移動量を小さくすることが可能になる。したがって、本発明では、ＩＣ接点ブロックを移動させるためのスペースを小さくすることが可能になり、その結果、ＩＣカードリーダを小型化することが可能になる。すなわち、本発明では、カードを回収する際の、ＩＣ接点バネに起因するカードの傷の発生を抑制することが可能であっても、ＩＣカードリーダを小型化することが可能になる。【００１４】
本発明において、ガイド機構は、たとえば、バネホルダの手前端側に回動可能に連結される第１アームと、バネホルダの奥端側に回動可能に連結される第２アームとを備える平行リンク機構である。【００１５】
本発明において、バネホルダの奥端側には、第２方向側へ突出する固定ストッパが形成され、固定ストッパの第２方向への突出量は、閉鎖位置にあるときの回動ストッパの第２方向への突出量よりも少なくなっており、通信位置にＩＣ接点ブロックがあるときには、固定ストッパは、カードの奥端が固定ストッパに当接可能な位置に配置され、カード排出位置にＩＣ接点ブロックがあるときには、固定ストッパは、カードよりも第１方向側に配置されていることが好ましい。このように構成すると、固定ストッパは、通信位置にＩＣ接点ブロックがあるときに、カードの奥端が固定ストッパに当接可能な位置に配置されているため、ＩＣカードリーダを小型化するために回動可能な回動ストッパがバネホルダに取り付けられていても、カードの外部接続端子とＩＣ接点バネとを接触させてデータの通信を行う際には、固定ストッパによってカードを所定の位置に確実に停止させることが可能になる。また、このように構成すると、固定ストッパは、カード排出位置にＩＣ接点ブロックがあるときにカードよりも第１方向側に配置されているため、ＩＣ接点ブロックの奥側へカードを通過させる際に固定ストッパが支障になることはない。【００１６】
本発明において、固定ストッパは、カードの幅方向における回動ストッパの両側に形成されていることが好ましい。このように構成すると、カードの幅方向における回動ストッパの片側に固定ストッパが形成されている場合と比較して、カードの外部接続端子とＩＣ接点バネとを接触させてデータの通信を行う際のカードの傾き（具体的には、カードの厚さ方向から見たときのカードの搬送方向に対する傾き）を抑制することが可能になる。【００１７】
本発明において、カード搬送路は、第１方向側から第２方向側へ向かって突出し搬送されるカードを案内するガイド部を備え、ガイド部はＩＣ接点ブロックが通信位置にあるときの固定ストッパとカードの搬送方向において重なる位置に配置され、ガイド部の第２方向側の端部は、ＩＣ接点ブロックがカード排出位置にあるときの固定ストッパの第２方向側の端部よりも第２方向側に配置され、ＩＣ接点ブロックが通信位置からカード排出位置に移動する間に、カードはガイド部の第２方向側を通過することが好ましい。このように構成すると、ガイド部は、ＩＣ接点ブロックが通信位置からカード排出位置に移動する過程で、奥側に搬送されるカードの先端側に第１方向側から当接して、カードと固定ストッパとの間に生じる摩擦力によって上側に持ち上がるカードの先端を固定ストッパの第２方向側の端部よりも第２方向側へ押すことができる。従って、カードの移動に伴ってより確実に固定ストッパとカードの先端を分離させ、ＩＣ接点ブロックの奥側へより確実にカードを排出させることが可能になる。【００１８】
本発明において、回動ストッパの先端側には、カードの幅方向を回転の軸方向として回転可能なローラが取り付けられていることが好ましい。このように構成すると、カードを回収する際の、回動ストッパに起因するカードの傷の発生を防止することが可能になる。【００１９】
本発明において、ＩＣカードリーダは、ＩＣ接点ブロックよりも奥側に、かつ、カード搬送路よりも第２方向側に配置されるカードの回収ボックスを備え、回動ストッパは、奥側に向かって回動ストッパの第２方向側を通過するカードをストッパ付勢部材の付勢力によって回収ボックスに向かって押すことが好ましい。このように構成すると、回動ストッパを利用して、回収ボックスにカードを確実に回収することが可能になる。
【発明の効果】
【００２０】
以上のように、本発明では、カードの回収機能を有する接触式のＩＣカードリーダにおいて、カードを回収する際の、ＩＣ接点バネに起因するカードの傷の発生を抑制することが可能であっても、ＩＣカードリーダを小型化することが可能になる。
【図面の簡単な説明】
【００２１】
【図１】本発明の実施の形態にかかるＩＣカードリーダの概略側面図である。
【図２】図１に示すカードの平面図である。
【図３】図１に示すＩＣ接点ブロックおよび平行リンク機構の斜視図である。
【図４】図３に示すＩＣ接点ブロックおよび平行リンク機構を別の方向から示す斜視図である。
【図５】図１に示すＩＣ接点ブロックの動きを説明するための図である。
【図６】図１に示すＩＣ接点ブロックの動きを説明するための図である。
【図７】図１に示す回動ストッパの作用を説明するための図である。
【発明を実施するための形態】
【００２２】
以下、図面を参照しながら、本発明の実施の形態を説明する。
【００２３】
（カードリーダの概略構成）
図１は、本発明の実施の形態にかかるＩＣカードリーダ１の概略側面図である。図２は、図１に示すカード２の平面図である。
【００２４】
本形態のＩＣカードリーダ１（以下、「カードリーダ１」とする）は、カード２に記録されたデータの読取およびカード２へのデータの記録の少なくともいずれか一方を行うための装置である。具体的には、カードリーダ１は、カード２とデータの通信を行うために、カード２の表面に形成されるＩＣチップの外部接続端子２ａに接触するＩＣ接点バネ３を有する接触式のＩＣカードリーダである。また、本形態のカードリーダ１は、必要に応じてカード２をカードリーダ１の内部に回収するカード２の回収機能を備えている。このカードリーダ１は、所定の上位装置（図示省略）に搭載されて使用される。
【００２５】
カードリーダ１は、カードリーダ本体４と、カード２を回収するための回収ボックス５とを備えている。カードリーダ本体４には、カード２の挿入口７から挿入されたカード２が搬送されるカード搬送路８が形成されている。カードリーダ本体４は、カード搬送路８でカード２を搬送するカード搬送機構９と、ＩＣ接点バネ３を有するＩＣ接点ブロック１０と、ＩＣ接点ブロック１０を案内するガイド機構としての平行リンク機構１１とを備えている。また、カードリーダ本体４は、図示を省略する磁気ヘッドを備えている。
【００２６】
本形態では、図１等に示すＸ方向でカード２が搬送される。すなわち、Ｘ方向は、カード搬送路８で搬送されるカード２の搬送方向である。また、Ｘ方向に直交する図１等のＺ方向は、カード搬送路８で搬送されるカード２の厚さ方向（すなわち、挿入口７から挿入されたカード２の厚さ方向）であり、Ｘ方向とＺ方向とに直交する図１等のＹ方向は、カード搬送路８で搬送されるカード２の幅方向である。以下の説明では、Ｘ方向を「前後方向」、Ｙ方向を「左右方向」、Ｚ方向を「上下方向」とする。また、挿入口７が形成されるＸ１方向側を「手前（前）」側、その反対のＸ２方向側を「奥（後ろ）」側、Ｚ１方向側を「上」側、その反対のＺ２方向側を「下」側とする。本形態では、上下方向と鉛直方向とが一致するように、カードリーダ１が配置されている。また、本形態の上側（Ｚ１方向側）は、カード２の厚さ方向の一方側である第１方向側であり、下側（Ｚ２方向側）は、その反対側である第２方向側である。
【００２７】
カード２は、厚さが０．７〜０．８ｍｍ程度の略長方形状の塩化ビニール製のカードである。カード２には、磁気データが記録される磁気ストライプ（図示省略）が形成されている。また、カード２には、ＩＣチップ（図示省略）が内蔵されており、カード２の表面には、外部接続端子２ａが形成されている。外部接続端子２ａは、図２に示すように、カード２の長手方向の一端２ｂ側に形成されている。カード２は、外部接続端子２ａが形成された面が上側を向くとともに、カード２の長手方向が前後方向と略一致した状態で、かつ、カード２の長手方向の一端２ｂ側からカードリーダ本体４に挿入される。なお、カード２には、磁気ストライプが形成されていなくても良い。この場合には、カードリーダ本体４は、磁気ヘッドを備えていなくても良い。
【００２８】
カード搬送路８は、左右方向から見たときの形状が直線状となるように形成されている。カード搬送機構９は、カード２を搬送する駆動ローラ１４およびパッドローラ１５を備えている。駆動ローラ１４とパッドローラ１５とは、上下方向で対向するように配置されている。駆動ローラ１４は、プーリやベルト等の動力伝達機構（図示省略）を介して駆動用のモータ（図示省略）に連結されている。パッドローラ１５は、駆動ローラ１４に向かって付勢されている。
【００２９】
回収ボックス５は、上面が開口する略直方体の箱状に形成されている。この回収ボックス５は、カードリーダ本体４の奥側に配置されている。また、回収ボックス５は、カード搬送路８よりも下側に配置されている。
【００３０】
（ＩＣ接点ブロック、平行リンク機構およびその周辺部分の構成）
図３は、図１に示すＩＣ接点ブロック１０および平行リンク機構１１の斜視図である。
図４は、図３に示すＩＣ接点ブロック１０および平行リンク機構１１を別の方向から示す斜視図である。図５、図６は、図１に示すＩＣ接点ブロック１０の動きを説明するための図である。図７は、図１に示す回動ストッパ１９の作用を説明するための図である。
【００３１】
ＩＣ接点ブロック１０は、カードリーダ本体４の奥端側に配置されている。また、ＩＣ接点ブロック１０は、ＩＣ接点バネ３が上側からカード搬送路８に臨むように配置されている。このＩＣ接点ブロック１０は、ＩＣ接点バネ３を保持するブロック状のバネホルダ１８と、バネホルダ１８の奥端側に回動可能に取り付けられる回動ストッパ１９と、回動ストッパ１９を付勢するストッパ付勢部材としてのネジリコイルバネ２０（図３参照）とを備えている。
【００３２】
平行リンク機構１１は、ＩＣ接点ブロック１０の上側に配置されている。この平行リンク機構１１は、バネホルダ１８の手前端側に回動可能に連結される第１アームとしてのアーム２１と、バネホルダ１８の奥端側に回動可能に連結される第２アームとしてのアーム２２とを備えている。また、カードリーダ本体４は、手前側へＩＣ接点ブロック１０を付勢するブロック付勢部材としてのネジリコイルバネ２４と、ＩＣ接点ブロック１０の手前側への移動範囲を規制する第１ストッパとしてのストッパ２５と、ＩＣ接点ブロック１０の奥側への移動範囲を規制する第２ストッパとしてのストッパ２６とを備えている。なお、図５〜図７では、ネジリコイルバネ２４の図示を省略している。
【００３３】
バネホルダ１８は、上下方向に扁平な略直方体状に形成されている。このバネホルダ１８は、カード搬送路８に上側から臨むように配置されている。バネホルダ１８の上面側には、平行リンク機構１１の一部を構成する後述の連結軸３５が挿通される軸挿通部１８ａが形成されている。軸挿通部１８ａは、バネホルダ１８の手前端側における左右の両端側部分の２箇所と、バネホルダ１８の奥端側における左右の両端側の２箇所との合計４箇所に形成されている。また、軸挿通部１８ａは、上側へ突出するように形成されている。
【００３４】
バネホルダ１８の奥端側には、奥側に向かって突出する突出部１８ｂが形成されている。突出部１８ｂは、バネホルダ１８の左右の両端側の２箇所に形成されている。突出部１８ｂの奥端側（すなわち、バネホルダ１８の奥端側）には、下側へ突出する固定ストッパ１８ｃが形成されている。固定ストッパ１８ｃの前面１８ｄ（図４参照）は、前後方向に直交する平面状に形成されている。左右方向における２個の突出部１８ｂの間には、回動ストッパ１９の一部が配置される空間が形成されている。すなわち、固定ストッパ１８ｃは、左右方向における回動ストッパ１９の両側に形成されている。２個の突出部１８ｂの奥端側には、固定軸３０が固定されている。固定軸３０は、固定軸３０の軸方向と左右方向とが一致するように突出部１８ｂに固定されている。
【００３５】
回動ストッパ１９は、略直方体のブロック状に形成されている。回動ストッパ１９の上端側は、固定軸３０に回動可能に保持されており、回動ストッパ１９は、固定軸３０を中心にして回動可能となっている。すなわち、回動ストッパ１９は、左右方向を回動の軸方向として回動可能となっている。ネジリコイルバネ２０には、固定軸３０が挿通されている。このネジリコイルバネ２０は、回動ストッパ１９がバネホルダ１８から下側へ突出してカード搬送路８を塞ぐ閉鎖位置１９Ａ（図５（Ａ）、（Ｂ）、図６（Ａ）に示す位置）に向かって回動ストッパ１９を付勢している。すなわち、ネジリコイルバネ２０は、固定軸３０を中心にして、図５、図６の時計回りの方向（時計方向）へ回動ストッパ１９を付勢している。なお、バネホルダ１８には、回動ストッパ１９の時計方向への回動範囲を規制するストッパ（図示省略）が形成されており、閉鎖位置１９Ａに回動ストッパ１９があるときには、回動ストッパ１９は、このストッパに当接して時計方向への回動を規制されている。
【００３６】
閉鎖位置１９Ａにあるときの回動ストッパ１９の下側への突出量は、固定ストッパ１８ｃの下側への突出量よりも大きくなっている。すなわち、固定ストッパ１８ｃの下側への突出量は、閉鎖位置１９Ａにあるときの回動ストッパ１９の下側への突出量よりも小さくなっており、閉鎖位置１９Ａにあるときの回動ストッパ１９の下端は、固定ストッパ１８ｃの下端よりも下側に配置されている。また、回動ストッパ１９の先端側には、軸３１が取り付けられている。軸３１は、軸３１の軸方向と左右方向とが一致するように配置されている。軸３１には、ローラ３２が回転可能に取り付けられている。すなわち、回動ストッパ１９の先端側には、左右方向を回転の軸方向として回転可能なローラ３２が取り付けられている。ローラ３２の一部は、回動ストッパ１９の先端よりも回動ストッパ１９の先端側へ突出している。
【００３７】
平行リンク機構１１は、上述のアーム２１、２２に加えて、アーム２１、２２の回動中心となる２本の回動中心軸３４と、アーム２１、２２とバネホルダ１８を連結するための２本の連結軸３５とを備えている。アーム２１とアーム２２とは同形状に形成されている。アーム２１は、回動中心軸３４および連結軸３５が取り付けられる２個の軸取付部２１ａと、２個の軸取付部２１ａを連結する連結部２１ｂとを備えている。同様に、アーム２２は、回動中心軸３４および連結軸３５が取り付けられる２個の軸取付部２２ａと、２個の軸取付部２２ａを連結する連結部２２ｂとを備えている。
【００３８】
軸取付部２１ａ、２２ａは、略長円形の平板状に形成されており、軸取付部２１ａ、２２ａの厚さ方向と左右方向とが一致するように配置されている。２個の軸取付部２１ａは、左右方向に所定の間隔をあけた状態で配置され、２個の軸取付部２２ａは、左右方向に所定の間隔をあけた状態で配置されている。回動中心軸３４は、回動中心軸３４の軸方向と左右方向とが一致するように配置され、連結軸３５は、連結軸３５の軸方向と左右方向とが一致するように配置されている。
【００３９】
回動中心軸３４は、軸取付部２１ａ、２２ａの一端側に取り付けられ、連結軸３５は、軸取付部２１ａ、２２ａの他端側に取り付けられている。回動中心軸３４の両端側は、軸取付部２１ａ、２２ａよりも左右方向の外側へ突出している。軸取付部２１ａ、２２ａよりも左右方向の外側へ突出する回動中心軸３４の両端側部分は、カードリーダ本体４のフレーム（図示省略）に取り付けられており、アーム２１、２２は、回動中心軸３４を中心とする回動が可能となるように、カードリーダ本体４のフレームに保持されている。連結軸３５は、バネホルダ１８の軸挿通部１８ａに挿通されており、バネホルダ１８とアーム２１、２２とは回動可能に連結されている。
【００４０】
ネジリコイルバネ２４には、アーム２２に取り付けられる回動中心軸３４が挿通されている。ネジリコイルバネ２４は、アーム２２に取り付けられる回動中心軸３４を中心にして、図５、図６の時計方向へアーム２２を付勢しており、アーム２２を介して、ＩＣ接点ブロック１０を手前側へ付勢している。ストッパ２５、２６は、カードリーダ本体４のフレーム（図示省略）に固定されている。ストッパ２５は、バネホルダ１８の前面が当接可能な位置に配置され、ストッパ２６は、バネホルダ１８の前面が当接可能な位置に配置されている。なお、ストッパ２５は、アーム２１が当接可能な位置に配置されても良い。また、ストッパ２６は、アーム２２が当接可能な位置に配置されても良い。
【００４１】
平行リンク機構１１は、カード搬送路８に対するＩＣ接点ブロック１０の姿勢を一定に保った状態でＩＣ接点ブロック１０が移動するようにＩＣ接点ブロック１０を案内する。
具体的には、平行リンク機構１１は、図５、図６に示すように、左右方向から見たときに、カード搬送路８とバネホルダ１８との平行状態が保たれた状態でＩＣ接点ブロック１０が移動するようにＩＣ接点ブロック１０を案内する。
【００４２】
また、平行リンク機構１１は、ネジリコイルバネ２４の付勢力によってＩＣ接点ブロック１０がストッパ２５に当接するとともにＩＣ接点ブロック１０がカード搬送路８に配置されるカード２から離れる待機位置１０Ａ（図５（Ａ）に示す位置）と、カード搬送路８に配置されるカード２の外部接続端子２ａとＩＣ接点バネ３とが接触する通信位置１０Ｂ（図５（Ｂ）に示す位置）と、ＩＣ接点ブロック１０がストッパ２６に当接するとともにカード搬送路８に配置されるカード２から離れるカード排出位置１０Ｃ（図６（Ａ）に示す位置）とにＩＣ接点ブロック１０が移動するようにＩＣ接点ブロック１０を案内する。
すなわち、ＩＣ接点ブロック１０は、平行リンク機構１１に案内されて前後方向にスライドしながら上下動する。
【００４３】
図５、図６に示すように、待機位置１０ＡにあるＩＣ接点ブロック１０およびカード排出位置１０ＣにあるＩＣ接点ブロック１０は、通信位置１０ＢにあるＩＣ接点ブロック１０よりも上側に配置されている。固定ストッパ１８ｃは、図５（Ｂ）に示すように、通信位置１０ＢにＩＣ接点ブロック１０があるときには、カード２の奥端が固定ストッパ１８ｃに当接可能な位置に配置されている。また、固定ストッパ１８ｃは、図６（Ａ）に示すように、カード排出位置１０ＣにＩＣ接点ブロック１０があるときには、カード２よりも上側に配置されている。すなわち、固定ストッパ１８ｃは、カード排出位置１０ＣにＩＣ接点ブロック１０があるときには、カード２の奥端が当接しない位置に配置されている。
なお、固定ストッパ１８ｃは、待機位置１０ＡにＩＣ接点ブロック１０があるときに、カード２の奥端が当接する位置に配置されても良いし、カード２の奥端が当接しない位置に配置されても良い。
【００４４】
本形態では、カードリーダ１にカード２が挿入される前の待機時には、ネジリコイルバネ２４の付勢力によってＩＣ接点ブロック１０は待機位置１０Ａに配置されている。また、この待機時には、回動ストッパ１９は、閉鎖位置１９Ａにあり、カード搬送路８を塞いでいる。この状態で、挿入口７からカード２が挿入されると、カード搬送機構９によって奥側へカード２が搬送される。
【００４５】
カード搬送機構９によって奥側へ搬送されるカード２の奥端が待機位置１０ＡにあるＩＣ接点ブロック１０の回動ストッパ１９に当接すると、回動ストッパ１９がカード２に押されてＩＣ接点ブロック１０が奥側に向かって待機位置１０Ａから通信位置１０Ｂに移動する（図５（Ａ）、（Ｂ）参照）。このときには、少なくともＩＣ接点ブロック１０が待機位置１０Ａから通信位置１０Ｂに移動する過程の途中からカード２が固定ストッパ１８ｃに当接して、固定ストッパ１８ｃもカード２に押される。たとえば、ＩＣチップの外部接続端子２ａとＩＣ接点バネ３とが接触するときから、カード２が固定ストッパ１８ｃに当接して、固定ストッパ１８ｃもカード２に押される。
【００４６】
カードリーダ１において通常の処理が行われる場合には、ＩＣ接点ブロック１０が通信位置１０Ｂにある状態で、カード２とカードリーダ１との間のデータの通信が行われ、その後、カード２は、手前側に向かって搬送されて挿入口７から排出される。ＩＣ接点ブロック１０が通信位置１０Ｂにある状態で、カード２が手前側に向かって搬送されると、ＩＣ接点ブロック１０は、ネジリコイルバネ２４の付勢力によって待機位置１０Ａに移動する。
【００４７】
なお、カードリーダ本体４には、ＩＣ接点ブロック１０が通信位置１０Ｂにあることを検知するための検知機構が設けられている。この検知機構は、たとえば、カードリーダ本体４に取り付けられる光学式センサと、バネホルダ１８に形成される検出片とによって構成されており、バネホルダ１８の検出片が光学式センサの発光素子と受光素子との間を遮ることで、ＩＣ接点ブロック１０が通信位置１０Ｂにあることが検知される。
【００４８】
一方、カードリーダ１においてカード２が回収されるときには、通信位置１０Ｂに移動したＩＣ接点ブロック１０の回動ストッパ１９に当接するカード２がカード搬送機構９によってさらに奥側へ搬送される。通信位置１０Ｂに移動したＩＣ接点ブロック１０の回動ストッパ１９に当接するカード２がさらに奥側へ搬送されると、回動ストッパ１９がカード２に押されてＩＣ接点ブロック１０が奥側に向かって通信位置１０Ｂからカード排出位置１０Ｃに移動する（図５（Ｂ）、図６（Ａ）参照）。このときには、ＩＣ接点ブロック１０が通信位置１０Ｂからカード排出位置１０Ｃに移動する過程の途中まで、カード２が固定ストッパ１８ｃに当接して、固定ストッパ１８ｃもカード２に押される。
【００４９】
また、カードリーダ１においてカード２が回収されるときには、カード排出位置１０Ｃに移動したＩＣ接点ブロック１０の回動ストッパ１９に当接するカード２がカード搬送機構９によってさらに奥側へ搬送される。カード排出位置１０Ｃに移動したＩＣ接点ブロック１０の回動ストッパ１９に当接するカード２がさらに奥側へ搬送されると、図６（Ｂ）に示すように、回動ストッパ１９が固定軸３０を中心にして上側かつ奥側へ回動して（倒れて）、カード２が奥側に向かって回動ストッパ１９の下側を通過する。すなわち、カード排出位置１０Ｃに移動したＩＣ接点ブロック１０の回動ストッパ１９に当接するカード２がさらに奥側へ搬送されると、回動ストッパ１９が図５、図６の反時計回りの方向（反時計方向）に回動して、カード２が奥側に向かって回動ストッパ１９の下側を通過する。
このときには、ローラ３２がカード２の上面に接触しており、カード２の移動に伴ってローラ３２が回転する。
【００５０】
このように、本形態では、ＩＣ接点ブロック１０がストッパ２６に当接するまでは（すなわち、ＩＣ接点ブロック１０がカード排出位置１０Ｃに到達するまでは）、回動ストッパ１９に当接するカード２に回動ストッパ１９が押されても、回動ストッパ１９が回動しないように、ネジリコイルバネ２０の付勢力が設定されている。なお、回動ストッパ１９は、図７に示すように、奥側に向かって回動ストッパ１９の下側を通過するカード２をネジリコイルバネ２０の付勢力によって回収ボックス５に向かって押している。すなわち、回動ストッパ１９は、奥側に向かって回動ストッパ１９の下側を通過するカード２を下側に押している。具体的には、ローラ３２がカード２の上面に接触してカード２を下側に押している。
【００５１】
また、カード搬送路８の奥端側には、カード搬送路８の上側から下側に向かって突出するとともにカード搬送機構９によって搬送されるカード２を案内するガイド部４０が設けられている。すなわち、ガイド部４０は、カード２をカード搬送路８の下側へ案内する。また、ガイド部４０は、カード搬送路８を形成するカードリーダ本体４のフレーム（図示省略）と一体に形成され、左右方向において、ＩＣ接点ブロック１０、駆動ローラ１４およびパッドローラ１５と異なる位置に形成されている。すなわち、ガイド部４０、ＩＣ接点ブロック１０、駆動ローラ１４およびパッドローラ１５とは互いに干渉しないように配置されている。また、ガイド部４０は、ＩＣ接点ブロック１０が通信位置１０Ｂにあるときに、固定ストッパ１８ｃと前後方向において重なる位置に形成されている。より詳しくは、ガイド部４０は、ＩＣ接点ブロック１０が上下方向において最も下側にあるときの固定ストッパ１８ｃに当接するカード２の先端と、前後方向において重なる位置に配置されている。また、ガイド部４０の下端は、ＩＣ接点ブロック１０がカード排出位置１０Ｃにあるときには、固定ストッパ１８ｃの下端よりも上下方向において下側に配置されている。
【００５２】
カードリーダ１においてカード２が回収されるときに、ＩＣ接点ブロック１０が通信位置１０Ｂからカード排出位置１０Ｃに移動する過程で、カード２が固定ストッパ１８ｃに当接して、固定ストッパ１８ｃを押す場合、固定ストッパ１８ｃと固定ストッパ１８ｃに当接するカード２の先端との間に摩擦力が生じ、カード２と固定ストッパ１８ｃとが分離せずにカード２の先端がカード搬送路８の上側に持ち上がる。このとき、ガイド部４０は、カード２の先端側の上面に当接して、上側に持ち上がるカード２の先端を固定ストッパ１８ｃの下端よりも下側へ相対的に押し下げている。カード２の奥側への移動に伴って、カード２の先端はガイド部４０に案内されることで固定ストッパ１８ｃから離れて、回動ストッパ１９の先端側、すなわちローラ３２へ案内される。その結果、カード２は、ガイド部４０の下側を通過し、上述のように回動ストッパ１９の作用により排出され回収ボックスに確実に回収される。
【００５３】
（本形態の主な効果）
以上説明したように、本形態では、ＩＣ接点ブロック１０は、ストッパ２５に当接するとともにカード搬送路８に配置されるカード２から離れる待機位置１０Ａと、カード搬送路８に配置されるカード２の外部接続端子２ａとＩＣ接点バネ３とが接触する通信位置１０Ｂと、ストッパ２６に当接するとともにカード搬送路８に配置されるカード２から離れるカード排出位置１０Ｃとに、カード搬送路８に対するＩＣ接点ブロック１０の姿勢を一定に保った状態で移動する。また、本形態では、通信位置１０Ｂに移動したＩＣ接点ブロック１０の回動ストッパ１９に当接するカード２がさらに奥側へ搬送されると、回動ストッパ１９がカード２に押されてＩＣ接点ブロック１０が奥側に向かって通信位置１０Ｂからカード排出位置１０Ｃに移動する。そのため、本形態では、カード２を奥側に搬送してカード２を回収する際に、カード２の移動に伴ってＩＣ接点バネ３がカード２から離れていく。したがって、本形態では、カード２を回収する際の、ＩＣ接点バネ３に起因するカード２の傷の発生を抑制することが可能になる。
【００５４】
また、本形態では、カード排出位置１０Ｃに移動したＩＣ接点ブロック１０の回動ストッパ１９に当接するカード２がさらに奥側へ搬送されると、回動ストッパ１９が固定軸３０を中心にして上側かつ奥側へ回動して、カード２が奥側に向かって回動ストッパ１９の下側を通過する。そのため、本形態では、ＩＣ接点ブロック１０に固定されているストッパの下側をカード２が通過できるまでＩＣ接点ブロック１０を移動させる場合と比較して、ＩＣ接点ブロック１０の移動量を小さくしてもＩＣ接点ブロック１０の奥側へカード２を通過させることが可能になる。すなわち、本形態では、カード２を回収するためにＩＣ接点ブロック１０の奥側へカード２を通過させることが可能であっても、ＩＣ接点ブロック１０の移動量を小さくすることが可能になる。したがって、本形態では、ＩＣ接点ブロック１０を移動させるためのスペースを小さくすることが可能になり、その結果、カードリーダ１を小型化することが可能になる。
【００５５】
本形態では、通信位置１０ＢにＩＣ接点ブロック１０があるときに、固定ストッパ１８ｃは、カード２の奥端が固定ストッパ１８ｃに当接する位置に配置されている。したがって、本形態では、カードリーダ１を小型化するために回動可能な回動ストッパ１９がバネホルダ１８に取り付けられていても、カード２の外部接続端子２ａとＩＣ接点バネ３とを接触させてデータの通信を行う際に、固定ストッパ１８ｃによってカード２を所定の位置に確実に停止させることが可能になる。また、本形態では、固定ストッパ１８ｃは、カード排出位置１０ＣにＩＣ接点ブロック１０があるときに、カード２よりも上側に配置されているため、ＩＣ接点ブロック１０の奥側へカード２を通過させる際に固定ストッパ１８ｃが支障になることはない。
【００５６】
本形態では、固定ストッパ１８ｃは、左右方向における回動ストッパ１９の両側に形成されている。そのため、本形態では、左右方向における回動ストッパ１９の片側に固定ストッパ１８ｃが形成されている場合と比較して、カード２の外部接続端子２ａとＩＣ接点バネ３とを接触させてデータの通信を行う際のカード２の傾き（具体的には、上下方向から見たときの前後方向に対するカード２の傾き）を抑制することが可能になる。
【００５７】
本形態では、回動ストッパ１９の先端側にローラ３２が取り付けられており、カード２が奥側に向かって回動ストッパ１９の下側を通過するときには、ローラ３２がカード２の上面に接触している。そのため、本形態では、カード２を回収する際の、回動ストッパ１９に起因するカード２の傷の発生を防止することが可能になる。また、本形態では、回動ストッパ１９が、奥側に向かって回動ストッパ１９の下側を通過するカード２を回収ボックス５に向かって押しているため、回動ストッパ１９を利用して、回収ボックス５にカードを確実に落とし込むことが可能になる。
【００５８】
本形態では、カード搬送路８を搬送されるカード２に押されてＩＣ接点ブロック１０が通信位置１０Ｂからカード排出位置１０Ｃにかけて移動するときには、固定ストッパ１８ｃに当接するカード２の先端が上側に持ち上がるように、固定ストッパ１８ｃと固定ストッパ１８ｃに当接するカード２の先端との間に摩擦力が働く。そのため、変型したカード２を搬送するような場合、固定ストッパ１８ｃとカード２の先端が分離せず、ジャムが発生するおそれがある。本形態では、ガイド部４０は、ＩＣ接点ブロック１０が通信位置１０Ｂにあるときに、固定ストッパ１８ｃと、前後方向において重なる位置に形成される。また、ガイド部４０の下端は、ＩＣ接点ブロック１０がカード排出位置１０Ｃにあるときに、固定ストッパ１８ｃの下端よりも、上下方向において下側に配置されている。そのため、本形態では、ガイド部４０は、ＩＣ接点ブロック１０が通信位置１０Ｂにあるときに、固定ストッパ１８ｃより奥側にカード２が搬送されるとき、カード２の先端側の上面に当接して、摩擦力によって上側に持ち上がるカード２の先端を固定ストッパ１８ｃの下端よりも下側へ押し下げている。従って、カード２の移動に伴ってより確実に固定ストッパ１８ｃとカード２の先端を分離させ、ＩＣ接点ブロック１０の奥側へカード２を排出させることが可能になる。
【００５９】
（他の実施の形態）
上述した形態は、本発明の好適な形態の一例ではあるが、これに限定されるものではなく本発明の要旨を変更しない範囲において種々変形実施が可能である。
【００６０】
上述した形態では、ＩＣ接点ブロック１０を案内するガイド機構は、平行リンク機構１１である。この他にもたとえば、カードリーダ本体４のフレームおよびバネホルダ１８のいずれか一方に形成されるガイド溝と、カードリーダ本体４のフレームおよびバネホルダ１８のいずれか他方に形成されてガイド溝に係合するピンとによって、ＩＣ接点ブロック１０を案内するガイド機構が構成されても良い。この場合には、このガイド溝とピンとによって、ＩＣ接点ブロック１０は、待機位置１０Ａと通信位置１０Ｂとカード排出位置１０Ｃとに案内される。
【００６１】
上述した形態では、回動ストッパ１９の先端側にローラ３２が取り付けられているが、回動ストッパ１９の先端側にローラ３２が取り付けられていなくても良い。また、上述した形態では、固定ストッパ１８ｃは、左右方向における回動ストッパ１９の両側に形成されているが、固定ストッパ１８ｃは、左右方向における回動ストッパ１９の片側に形成されても良い。また、バネホルダ１８に固定ストッパ１８ｃが形成されていなくても良い。
【００６２】
上述した形態では、回動ストッパ１９は、ネジリコイルバネ２０によって付勢されているが、回動ストッパ１９は、引張りコイルバネ等の他のバネ部材によって付勢されても良い。また、上述した形態では、ＩＣ接点ブロック１０は、ネジリコイルバネ２４によって付勢されているが、ＩＣ接点ブロック１０は、引張りコイルバネ等の他のバネ部材によって付勢されても良い。また、上述した形態では、カード２は、厚さが０．７〜０．８ｍｍ程度の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。
【００６３】
上述した形態では、ガイド部４０はカードリーダ本体４のフレームと一体に形成されているが、カードリーダ本体４のフレームに保持されるローラとして備えられていても良い。このような場合には、ガイド部４０の下をカード２が通過するときに生じる摩擦を軽減できるため、カード２の傷の発生を抑制することが可能になる。
【符号の説明】
【００６４】
１  カードリーダ（ＩＣカードリーダ）
２  カード
２ａ  外部接続端子
３  ＩＣ接点バネ
５  回収ボックス
７  挿入口
８  カード搬送路
９  カード搬送機構
１０  ＩＣ接点ブロック
１０Ａ  待機位置
１０Ｂ  通信位置
１０Ｃ  カード排出位置
１１  平行リンク機構（ガイド機構）
１８  バネホルダ
１８ｃ  固定ストッパ
１９  回動ストッパ
１９Ａ  閉鎖位置
２０  ネジリコイルバネ（ストッパ付勢部材）
２１  アーム（第１アーム）
２２  アーム（第２アーム）
２４  ネジリコイルバネ（ブロック付勢部材）
２５  ストッパ（第１ストッパ）
２６  ストッパ（第２ストッパ）
３２  ローラ
４０  ガイド部
Ｘ  カードの搬送方向
Ｘ１  手前側
Ｘ２  奥側
Ｙ  カードの幅方向
Ｚ  カードの厚さ方向
Ｚ１  第１方向側
Ｚ２  第２方向側
【図１】
2016158946.tif 000003
【図２】
2016158946.tif 000004
【図３】
2016158946.tif 000005
【図４】
2016158946.tif 000006
【図５】
2016158946.tif 000007
【図６】
2016158946.tif 000008
【図７】
2016158946.tif 000009
【国際調査報告】
2016158946.tif 000010
2016158946.tif 000011
2016158946.tif 000012
2016158946.tif 000013